(57)【特許請求の範囲】
【請求項１】
軸筒内にシャープペン芯１本とボールペン芯を複数本収納し、ノックボタンの押下操作によって芯を選択的に出没させるノックボタン式の多芯型筆記具であって、
前記複数のボールペン芯は前記軸筒の内周面に沿って配置され、前記シャープペン芯は、前記軸筒の内周面に沿って円形に配置された前記複数のボールペン芯の中心にできる空隙部に配置され、
前記シャープペン芯は、前記軸筒に形成された前記シャープペン芯用のスリットに露出してスライドする係止突起を有し、前記係止突起は、前記シャープペン芯に対するノック操作に伴って、一部が前記スリット内に臨むバネ式クリップに設けられるストッパーを越えることにより、前記ストッパーによってロックされて筆記可能状態となり、前記バネ式クリップが操作されてそのロックが外れることにより、前記シャープペン芯は、それに纏装されているリターンスプリングの作用で軸筒内に引き込まれることを特徴とする多芯型筆記具。
【請求項２】
前記係止突起は垂直面と傾斜面を有する直角三角形状に形成され、前記ストッパーは、前記係止突起の傾斜面に対応する傾斜面を有する２枚の三角形状板とその間に設けられる段部とから成り、前記係止突起は前記２枚の三角形状板の間に位置するようにされて前記段部に係止される、請求項１に記載の多芯型筆記具。
【請求項３】
前記係止突起は垂直面と傾斜面を有する直角三角形状に形成され、前記ストッパーは、前記係止突起の傾斜面に対応する傾斜面と垂直面を有する三角形状を呈し、前記係止突起は前記ストッパーの傾斜面を越えることによりその垂直面が前記ストッパーの垂直面により係止される、請求項１に記載の多芯型筆記具。
【請求項４】
前記シャープペン芯は、前記軸筒の中間部に嵌装された中間支持部材の中心部に穿設される円孔と、前記軸筒の端部に形成される縮径部の内底面に穿設される円孔とに挿通されることで、その軸方向への動きを支持される、請求項１乃至３のいずれかに記載の多芯型筆記具。
【請求項５】
前記円孔間に、各芯に纏装される前記リターンスプリング間の干渉を防止するためのスペーサが立設される、請求項４に記載の多芯型筆記具。
【請求項６】
前記シャープペン芯はその中間軸に段差を有し、前記ボールペン芯のノックボタンは前記中間軸の周側面に摺接する引掛かり部を有し、前記ノックボタンが押下操作されることにより前記引掛かり部が前記段差に係止され、以て、当該ボールペン芯による筆記が可能となり、前記ボールペン芯のノックボタンが押下操作されることにより、前記引掛かり部に対する前記段差による係止作用が解除され、以て、当該ボールペン芯はそれに纏装されているリターンスプリングの作用で前記軸筒内に引き込まれる、請求項１乃至５のいずれかに記載の多芯型筆記具。
【請求項７】
前記ボールペン芯のノックボタンは、前記軸筒に形成された前記ボールペン芯用のスリットを通して取り付け可能である、請求項１乃至６のいずれかに記載の多芯型筆記具。
【発明の詳細な説明】
【技術分野】
【０００１】
本発明は多芯型筆記具、より詳細には、１本の軸にシャープペン芯１本とインクの色の異なるボールペン芯を複数本組み込み、ノックの押下操作によってそのうちの１本を選択的に出没させて使用するノックボタン式の筆記具で、ノックボタンに特徴を持たせることができる多芯型筆記具に関するものである。
【背景技術】
【０００２】
上記多芯型筆記具としては種々のものが出回っており、ボールペン芯のみのものと、ボールペン芯にシャープペン芯が混在するものとが存在する。例えば、特開平９−６６６９６号公報（特許文献１）に記載のものや、特開２００７−１６０６３４号公報（特許文献２）に記載のものがあり、これらは、筆記具本体の側面に、各芯に対応する、通例色分けされたスライド式ノックが配備され、所望の色のノックを下方へスライドさせることで、ペン先から所望の色の芯を突出させて筆記に供する。
【０００３】
これらの多芯型筆記具の場合、各芯は、軸筒の内周に沿って円弧状に配置され、軸筒内に没状態にあるときは、軸筒の内側面に沿って直線状態を維持するが、選択されてペン先から突出するに際しては、先細となっている軸筒の内側面に沿って進行するために、先端部が湾曲状態となる。ボールペン芯の場合は、このような湾曲状態となっても筆記等にさしたる問題は起こらないが、シャープペン芯の場合は、ある程度の弾性はあるものの、直線状態と湾曲状態とが頻繁に切り替えられることにより、鉛芯が折れやすくなり、また、先端の筆記部が軸筒に平行ではないために筆記に方向性が生じ、筆記圧の低下を招くが、従来このような問題を十分に解消し得る構造の提案はなされていない。
【先行技術文献】
【特許文献】
【０００４】
【特許文献１】特開平９−６６６９６号公報
【特許文献２】特開２００７−１６０６３４号公報
【発明の概要】
【発明が解決しようとする課題】
【０００５】
上述したように、従来、シャープペン芯を含む多芯型の筆記具において、シャープペン芯の先端部が繰り出し操作に際して湾曲することに起因する問題を十分に解消し得る構造の提案はなされていなかった。そこで本発明は、そのようなシャープペン芯の繰り出しに際して生じていた諸問題を解消し、シャープペン芯の繰り出し操作を反復しても芯が折れることがなく、また、シャープペン芯を軸筒に平行に出没させることができるために、筆記の方向性がなく、十分な筆記圧が得られ、良好な筆記感が得られ、更には、ノックボタンの形態に特徴を持たせることができるシャープペン芯を含む多芯型の筆記具を提供することを課題とする。
【課題を解決するための手段】
【０００６】
上記課題を解決するための請求項１に記載の発明は、軸筒内にシャープペン芯１本とボールペン芯を複数本収納し、ノックボタンの押下操作によって芯を選択的に出没させるノックボタン式の多芯型筆記具であって、前記複数のボールペン芯は前記軸筒の内周面に沿って配置され、前記シャープペン芯は、前記軸筒の内周面に沿って円形に配置された前記複数のボールペン芯の中心にできる空隙部に配置されることを特徴とする多芯型筆記具である。
【０００７】
そして、前記シャープペン芯は、前記軸筒に形成された前記シャープペン芯用のスリットに露出してスライドする係止突起を有し、前記係止突起は、前記シャープペン芯に対するノック操作に伴って、一部が前記スリット内に臨むバネ式クリップに設けられるストッパーを越えることにより、前記ストッパーによってロックされて筆記可能状態となり、前記バネ式クリップが操作されてそのロックが外れることにより、前記シャープペン芯は、それに纏装されているリターンスプリングの作用で軸筒内に引き込まれる。
【０００８】
また、一実施形態においては、前記係止突起は垂直面と傾斜面を有する直角三角形状に形成され、前記ストッパーは、前記係止突起の傾斜面に対応する傾斜面を有する２枚の三角形状板とその間に設けられる段部とから成り、前記係止突起は前記２枚の三角形状板の間に位置するようにされて前記段部に係止され、あるいは、前記係止突起は垂直面と傾斜面を有する直角三角形状に形成され、前記ストッパーは、前記係止突起の傾斜面に対応する傾斜面と垂直面を有する三角形状を呈し、前記係止突起は前記ストッパーの傾斜面を越えることによりその垂直面が前記ストッパーの垂直面により係止される。
【０００９】
また、一実施形態においては、前記シャープペン芯は、前記軸筒の中間部に嵌装された中間支持部材の中心部に穿設される円孔と、前記軸筒の端部に形成される縮径部の内底面に穿設される円孔とに挿通されることで、その軸方向への動きを支持され、好ましくは、前記円孔間に、各芯に纏装される前記リターンスプリング間の干渉を防止するためのスペーサが立設される。
【００１０】
更に、一実施形態においては、前記シャープペン芯はその中間軸に段差を有し、前記ボールペン芯のノックボタンは前記中間軸の周側面に摺接する引掛かり部を有し、
前記ノックボタンが押下操作されることにより前記引掛かり部が前記段差に係止され、以て、当該ボールペン芯による筆記が可能となり、前記ボールペン芯のノックボタンが押下操作されることにより、前記引掛かり部に対する前記段差による係止作用が解除され、以て、当該ボールペン芯はそれに纏装されているリターンスプリングの作用で前記軸筒内に引き込まれる。前記ボールペン芯のノックボタンは、前記軸筒に形成された前記ボールペン芯用のスリットを通して取り付け可能である。
【発明の効果】
【００１１】
本発明に係る多芯型筆記具は上記構成であって、シャープペン芯は軸筒の中心部に配置され、シャープペン芯は繰り出し操作に際して湾曲することがないので、繰り出し操作を反復しても芯が折れることがなく、また、筆記の方向性がなく、十分な筆記圧が得られるため、良好な筆記感が得られる効果がある。また、請求項８に係る発明においては、ボールペン芯のノックボタンとして種々の変化のある形状のものや、軸筒の径よりも大きなものを採用することができ、需要者の興味をそそり、購買意欲を促進する効果がある。
【図面の簡単な説明】
【００１２】
【図１】本発明に係る多芯型筆記具の一実施形態におけるシャープペン芯の出没状況を示す縦断面図（シャープペン芯が没状態）である。
【図２】本発明に係る多芯型筆記具の一実施形態におけるシャープペン芯の出没状況を示す縦断面図（シャープペン芯が出状態）である。
【図３】本発明に係る多芯型筆記具の一実施形態におけるボールペン芯の出没状況を示す縦断面図（ボールペン芯が出状態）である。
【図４】本発明に係る多芯型筆記具の一実施形態におけるボールペン芯の出没状況を示す縦断面図（ボールペン芯の没状態への移行時）である。
【図５】本発明に係る多芯型筆記具の他の実施形態におけるシャープペン芯のロック方法示す縦断面図（ボールペン芯の没状態及び出状態）である。
【図６】本発明に係る多芯型筆記具の一実施形態における中間支持部材の構成を示す図である。
【図７】本発明に係る多芯型筆記具の一実施形態におけるシャープペン芯の中間軸の構成を示す図である。
【図８】本発明に係る多芯型筆記具の一実施形態におけるボールペン芯のノック部の構成を示す図である。
【発明を実施するための形態】
【００１３】
本発明に係る筆記具を、添付図面に依拠して説明する。図１及び図２は、本発明に係る多芯型筆記具の一実施形態を示す縦断面図で、図１はシャープペン芯１が軸筒２に引き込まれた状態を示し、図２は鉛芯筆記に際してシャープペン芯１を繰り出した状態を示している。なお、以下の説明においては、芯先側を先端側又は下方側と表現し、ノックボタン側を後端側又は上方側と表現する。
【００１４】
本発明に係る多芯型筆記具は、シャープペン芯１を軸筒２の中央部に配置することを特徴としている。即ち、一般の多芯型筆記具の場合、各芯は、軸筒の内周に沿って円弧状に配置されるため、その中央部に空隙が生じるが、本発明においては、この空隙を利用し、そこにシャープペン芯１を配置することとしている。
【００１５】
軸筒２は、一般のものと同様の外観を呈するもので、芯を突出させる先端部側が先細にされ、その先端に芯を突出させるための芯出し用開口４が形成された先端側筒体３と、これにねじ付け一体化される後端側筒体５とから成り、後端側筒体５に、ボールペン芯６用のスリット１５とシャープペン芯１用のスリット１６とが形成される。後端側筒体５の先端側筒体３に対する螺着部側開口付近に、シャープペン芯１及び複数のボールペン芯６を挿通支持する中間支持部材７が嵌装される。
【００１６】
中間支持部材７は低い円筒形状を呈するもので、その天面の中心部にシャープペン芯１を挿通する円孔８が形成され、また、円孔８を囲むように、収納するボールペン芯６に対応する数の円孔９が形成される。図６に示す例では円孔９は６個形成されているが、そのうちの１つは、その上側に、後述する係止突起２２が配置されるために使用されない。従って、図示した例におけるボールペン芯６は５本ということになる。
【００１７】
好ましい実施形態においては、その天面の各円孔８、９間、換言すれば、中心の円孔８を囲むように、近接して干渉し合う各芯１、６に纏装されるリターンスプリング１２、３２同士を離隔するための、棒状のスペーサ１０が立設される。また、中間支持部材７の外周面に、後端側筒体５の内周面に軸方向に形成される突条が係合する縦溝１１が形成される。この中間支持部材７は、各芯１、６に纏装されるリターンスプリング１２、３２を離隔支持すると共に、各リターンスプリング１２、３２の受座として機能する。
【００１８】
後端側筒体５の後端部は縮径化され、クリップ取付用キャップ１７を嵌着するための縮径部１３とされる。そして、この縮径部１３の内底面にシャープペン芯１を挿通するための円孔１４が形成される。また、後端側筒体５周側面の縮径部１３より下の部分に、軸方向に伸びるスリット１５が形成される。このスリット１５は、各ボールペン芯６に取り付けられるノックボタン２１を露出させてスライドさせるためのもので、そのスライド距離に対応する長さとされる。本発明の場合は更に、後述するようにシャープペン芯１に設けられる係止突起２２を露出させるためのスリット１６が、スリット１５と同様にして形成される。
【００１９】
クリップ取付用キャップ１７の上端面には、シャープペン芯１の後端部に取り付けられるノックボタン２３を出没させるための開口１８が形成される。図１乃至図４に示される実施形態のバネ式クリップ２４は、バネとして板バネ２５が用いられ、クリップ取付用キャップ１７の外側面に設置されている。即ち、バネ式クリップ２４は、一半部がそれに固定されているＵ字形の板バネ２５の他半部を、クリップ取付用キャップ１７の外側面に設けられた板バネ固定部２６の差し込み溝に差し込むことにより、クリップ取付用キャップ１７に固定される。なお、後述する実施形態におけるように、バネ式クリップ２４のバネとして、板バネ２５の代わりにねじりコイルバネを用いることもできる。
【００２０】
板バネ固定部２６は、シャープペン芯１の係止突起２２を露出させるためのスリット１６の形成位置に対応するように配置されるため、バネ式クリップ２４は、スリット１６上に配置されることになる。バネ式クリップ２４は、その先端側が板バネ２５によって軸筒２側に付勢され、その先端部裏面に設けられたストッパー２７がスリット１６内に臨むようにされる。ストッパー２７は、２枚の三角形状板と、それらの間に設けられる段部２８とから成る。段部２８の後面は２枚の三角形状板と面一の斜面にされ、係止突起２２は２枚の三角形状板の間に位置するように配置され、後述するようにして段部２８に係止される。
【００２１】
シャープペン芯１は、鉛芯を保持し、芯繰り出し機構が内蔵され、リターンスプリング１２が纏装される芯保持軸３１と、係止突起２２を備えていて芯保持軸３１に連結される中間軸３２と、ノックボタン２３が取り付けられていて中間軸３２に連結される操作軸３３とで構成される。これらのシャープペン芯１を構成する軸のうち、芯保持軸３１と操作軸３３の構成、並びに、先端から鉛芯を繰り出す機構は、一般のシャープペンシルにおけるものと基本的に差異はない。
【００２２】
しかるに、中間軸３２の構成は、一般のシャープペンシルには見られないものである。即ち、上述したように中間軸３２には、係止突起２２が設けられ、また、係止突起２２設置部付近に、ボールペン芯６の出没動作に関わる段差３５が形成される（図７参照）。係止突起２２は、後端側に位置する垂直面２２ａと傾斜面２２ｂとを有する直角三角形状に形成される。
【００２３】
ボールペン芯６は、リターンスプリング３０が纏装されるインク軸４１と、インク軸４１に連結されるノック部とから成り、ノック部は、ノック本体４２とノック本体４２に組み付けられるノックボタン２１とから成る（図８参照）。ノックボタン２１のノック本体４２に対する組み付けは、ノック本体４２に形成される係合用開口４３に、ノックボタン２１に形成される係合脚４４を嵌合することによって行う。係合脚４４の端部には上方及び下方に延びる引掛かり部４５、４６が設けられ、この引掛かり部４５、４６が係合用開口４３の縁部に係止されることにより、ノックボタン２１のノック本体４２からの脱落が防止される。
【００２４】
ノック本体４２とこれに組み付けられるノックボタン２１はこのような構成であるため、予めノックボタン２１を除くボールペン芯６を軸筒２内に組み込んでおき、後からスリット１５を通してノックボタン２１を組み付けることが可能であるので、組み立てが容易となる。また、ノックボタン２１はこのように後付けが可能であるため、頭部のサイズ及び形状に制限がなく、軸筒２の内径以上の大きさにしたり、キャラクターを表現したりすることができる。後述するように、ノックボタン２１の押下操作に伴い、引掛かり部４５が中間軸３２の段差３５に係止されることにより、ノックボタン２１が選択押下操作されたボールペン芯６による筆記が可能となる。
【００２５】
上記構成の本発明に係る多芯型筆記具においてシャープペン芯１を用いる場合は、ノックボタン２３がクリップ取付用キャップ１７から突出している図１の状態において、ノックボタン２３をリターンスプリング１２のバネ圧に抗して押し込むと、係止突起２２の傾斜面が、対応するストッパー２７の傾斜面、即ち、段部２８の後面に当接し、そのまま板バネ２５によるバネ圧を受けつつ摺動し、ストッパー２７を押し上げていく。そして、係止突起２２の頂部が段部２８を越えた後ノックボタン２３から指を離すと、係止突起２２はリターンスプリング１２の作用で戻ろうとするが、ストッパー２７が板バネ２５によるバネ圧によって軸筒２側に変位しているため、係止突起２２の垂直面２２ａが段部２８に係止される（図２の状態）。
【００２６】
かくして、シャープペン芯１は、その先端部が軸筒２の芯出し用開口４から突出した状態を維持し、以て、鉛芯による筆記が可能となる。鉛芯の繰り出しは、その状態においてノックボタン２３をノックすることにより行う。筆記が終了してシャープペン芯１を軸筒２内に引き込む場合は、指先でバネ式クリップ２４の先端部を引き上げ、あるいは、バネ式クリップ２４の後端部を押し込むことによりストッパー２７の先端側を浮かせる。そのようにすることにより、ストッパー２７の段部２８による係止突起２２のロックが解除され、シャープペン芯１はリターンスプリング１２の作用で軸筒２内に引き込まれる。
【００２７】
次いで、いずれかのボールペン芯６を選択して筆記する場合について説明する。ボールペン芯６の選択は、シャープペン芯１が軸筒２内に引き込まれている状態において行う。その状態において各ボールペン芯６のノックボタン２１は、中間軸３２の段差３５よりも後ろ側の胴太部に接することにより押されるため、各ボールペン芯６の後端側は若干外方に湾曲した状態となっている。
【００２８】
その状態において選択したノックボタン２１をスリット１５に沿って押下操作すると、引掛かり部４５が段差３５を越えるに至り、後端側が若干外方に湾曲していたボールペン芯６の後端側がその復元力によって内方側に変位する結果、引掛かり部４５が段差３５に係止される（図３参照）。そのため、ノックボタン２１から指を離すことによりリターンスプリング３０の作用を受けても、ボールペン芯６はその先端が芯出し用開口４から突出した状態、即ち、筆記可能状態を維持する。
【００２９】
筆記が終了してボールペン芯６を軸筒２内に引き込む場合は、シャープペン芯１のノックボタン２３を押し込み、強制的に引掛かり部４５を段差３５から外す。かくして、ボールペン芯６はリターンスプリング３０の作用で後退し（図４参照）、軸筒２内に引き込まれていく。
【００３０】
図５に示す実施形態は、バネ式クリップ２４の構成が上記実施形態と異なる以外は、上記実施形態と同じ構成のものである。この実施形態におけるバネ式クリップ２４は、スリット１６を挟むように配置される一対の軸支板２６により軸支され、その先端側が、軸支板２６の軸に設置されたねじりコイルバネ（図示してない）の作用で軸筒２側に付勢される。このバネ式クリップ２４のストッパー２７は、軸支板２６の近くに形成される。この場合のストッパー２７は、係止突起２２の傾斜面に対応する傾斜面と垂直面を有する１枚の三角形状板であり、その頂点部がスリット１６内に臨むように配備される。
【００３１】
この実施形態の場合、シャープペン芯１が押し込まれると、係止突起２２の傾斜面がストッパー２７の傾斜面に沿って摺動してその傾斜面を越えると、その垂直面がストッパー２７の垂直面により係止され、鉛芯での筆記が可能となる（図５（Ｂ））。また、筆記が終了してシャープペン芯１を軸筒２内に引き込む場合は、指先でバネ式クリップ２４の先端部を引き上げ、あるいは、バネ式クリップ２４の後端部を押し下げることによりストッパー２７を浮かせる。かくして、ストッパー２７の垂直面による係止突起２２のロックが解除され、シャープペン芯１はリターンスプリング１２の作用で軸筒２内に引き込まれる。
【００３２】
なお、上記実施形態の場合は、バネ式クリップ２４の先端部は係止突起２２によって軸筒２から離隔させられるが、この実施形態におけるバネ式クリップ２４の先端部は、その裏側に設けられる突子２９によって軸筒２から離隔させられる。
【００３３】
なお、この発明をある程度詳細にその最も好ましい実施形態について説明してきたが、この発明の精神と範囲に反することなしに広範に異なる実施形態を構成することができることは明白である。従って、この発明は、添付請求の範囲において限定した以外はその特定の実施形態に制約されるものではない。
【符号の説明】
【００３４】
１      シャープペン芯
２      軸筒
４      芯出し用開口
６      ボールペン芯
７      中間支持部材
１０      スペーサ    
１２      リターンスプリング
１５      ボールペン芯用スリット
１６      シャープペン芯用スリット
１７      クリップ取付用キャップ
２１      ノックボタン
２２      係止突起
２３      ノックボタン
２４      バネ式クリップ
２５      板バネ
２６      軸支板
２７      ストッパー
２８      段部
３０      リターンスプリング
３２      中間軸
３５      段差
４５      引掛かり部
４６      引掛かり部
【図１】
0005627633.tif 000002
【図２】
0005627633.tif 000003
【図３】
0005627633.tif 000004
【図４】
0005627633.tif 000005
【図５】
0005627633.tif 000006
【図６】
0005627633.tif 000007
【図７】
0005627633.tif 000008
【図８】
0005627633.tif 000009